(57)【特許請求の範囲】
【請求項１】
第１のパイプ管に第２のパイプ管を軸方向に繋ぎ合わせるパイプ管継手部材であって、
前記第１のパイプ管に差し込まれる第１差込部及び前記第２のパイプ管に差し込まれる第２差込部を有する継手本体と、
前記第１差込部の端部側から嵌挿される押圧体であって、前記第１差込部の長手方向に設けられた切り溝に嵌合する嵌合片を有すると共に、当該嵌合片は先端部の外側が斜めにカットされて形成され、前記嵌合片を前記切り溝に嵌合させることで前記第１差込部の端部に配置される押圧体と、
前記継手本体内を前記第２差込部側から第１差込部側に向かって軸方向に貫通して前記押圧体の中心に設けられたネジ孔と螺合するネジ体と、
前記第１差込部の外周に前記押圧体と隣接するように配置され、前記第１のパイプ管の内面に密着する密着片を有する弾性素材からなる止め輪体であって、前記第１差込部の円周方向に設けられた止め輪体溝に嵌合するようにして配置されると共に、
前記密着片の先端部の内側は斜めにカットされて形成された止め輪体と、
を有し、
前記押圧体を前記ネジ体で締め上げて前記押圧体をスライドさせることにより、前記押圧体の斜めにカットされた前記嵌合片の先端が前記止め輪体の斜めにカットされた前記密着片の先端の内側へ潜り込むようにして前記密着片の先端を押圧しながら前記密着片を外側方向に押し広げるようにして前記密着片を前記第１のパイプ管の内面に押圧して固定したのち、前記第２差込部に第２のパイプ管を連結するように構成したことを特徴とするパイプ管継手部材。
【請求項２】
請求項１に記載のパイプ管継手部材において、
前記第２差込部には、前記第２のパイプ管をその側面側から該第２差込部に固定するための止めネジが当接する凹部が設けられていることを特徴とするパイプ管継手部材。
【発明の詳細な説明】
【０００１】
【発明が属する技術分野】
本発明は、第１のパイプ管と第２のパイプ管を軸方向に繋ぎ合わせるパイプ管継手部材及び継手方法に関する。
【従来の技術】
従来から、パイプ管とパイプ管を軸方向に繋ぎ合わせる継手部材は種々存在する。しかし、パイプ管と継手部材の取り付けが面倒であったり、取り付けが簡易な場合にはパイプ管が簡単に外れてしまうなど繋ぎ合わせが脆弱であったりして、一長一短であった。
【０００２】
【発明が解決しようとする課題】
そこで、本発明が解決しようとする課題は、パイプ管とパイプ管の接続作業が簡易に行え、しかも、パイプ管とパイプ管を軸方向に強固に繋ぎ合わせることのできるパイプ管継手部材及び継手方法を提供することにある。
ここで、請求項１から４に記載の発明の目的は、取り付け作業が簡易に行え、且つ、第１のパイプ管に第２のパイプ管を軸方向に強固に繋ぎ合わせることのできるパイプ管継手部材を提供することである。
また、請求項５記載の発明の目的は、取り付け作業が簡易に行え、且つ、第１のパイプ管に第２のパイプ管を軸方向に強固に繋ぎ合わせることのできる継手方法を提供することである。
【０００３】
【課題を解決するための手段】
上記課題を解決するために請求項１に記載の発明は、第１のパイプ管に第２のパイプ管を軸方向に繋ぎ合わせるパイプ管継手部材であって、第１のパイプ管に差し込まれる第１差込部及び第２のパイプ管に差し込まれる第２差込部を有する継手本体と、第１差込部の端部側から嵌挿される押圧体であって、第１差込部の長手方向に設けられた切り溝に嵌合する嵌合片を有すると共に、嵌合片は先端部の外側が斜めにカットされて形成され、嵌合片を切り溝に嵌合させることで第１差込部の端部に配置される押圧体と、継手本体内を第２差込部側から第１差込部側に向かって軸方向に貫通して押圧体の中心に設けられたネジ孔と螺合するネジ体と、第１差込部の外周に押圧体と隣接するように配置され、第１のパイプ管の内面に密着する密着片を有する弾性素材からなる止め輪体であって、第１差込部の円周方向に設けられた止め輪体溝に嵌合するようにして配置されると共に、密着片の先端部の内側は斜めにカットされて形成された止め輪体とを有し、押圧体を前記ネジ体で締め上げて押圧体をスライドさせることにより、押圧体の斜めにカットされた嵌合片の先端が止め輪体の斜めにカットされた密着片の先端の内側へ潜り込むようにして密着片の先端を押圧しながら密着片を外側方向に押し広げるようにして密着片を前記第１のパイプ管の内面に押圧して固定したのち、第２差込部に第２のパイプ管を連結するように構成したことを特徴とするパイプ管継手部材を提供する。
【０００６】
（用語説明）
「弾性素材からなる止め輪体(30)」とは、押圧体(25)がスライドした場合には、外側（すなわち、第１のパイプ管(2)の内面側）に向かって広がることができ、且つ、押圧体(25)が元の位置に戻った場合には、元の形状に戻ることのできる材質からなるものをいい、例えば、合成ゴム・天然ゴムからなる止め輪体などが該当する。
【００１０】
上記課題を解決するために請求項２に記載の発明は、請求項１に記載のパイプ管継手部材において、第２差込部には、第２のパイプ管をその側面側から第２差込部に固定するための止めネジが当接する凹部が設けられていることを特徴とする。
【００１４】
【発明の実施の形態】
以下、本発明に係るパイプ管継手部材について、図面を用いて更に詳しく説明する。ここで使用する図面は、図１〜図５である。
図１は、本発明に係るパイプ管継手部材における第一の実施形態の分解斜視図である。パイプ管継手部材(1)は、概略として、第１のパイプ管(2)に差し込む第１差込部(11)及び第２のパイプ管(3)に差し込む第２差込部(12)を備えた継手本体(10)を有し、第１差込部(11)の端部(13)側から押圧体(25)が嵌挿され、継手本体(10)内を軸方向に貫通するネジ体(21)と螺合する。この押圧体(25)は、第１差込部(11)の外周に配置された弾性素材からなる止め輪体(30)と隣接するよう配置される。図２（ａ）、（ｂ）は、これらが組み合わされたパイプ管継手部材(1)の断面図を示す。
【００１５】
押圧体(25)は、第１差込部(11)の長手方向に設けられた切り溝(16)に嵌合する嵌合片(26)を有し、この嵌合片(26)が切り溝(16)に嵌合し、第１差込部(11)の端部(13)に配置される。嵌合片(26)は、その先端部(27)の外側が斜めにカットされている。また、押圧体(25)の基盤(29)の中心にはネジ孔(35)が設けられ、ネジ体(21)の端部に切られたネジ溝(23)がネジ孔(35)に螺合することによりネジ体(21)を締め上げ、押圧体(25)は隣接する止め輪体(30)側にスライドするように構成されている。
【００１６】
止め輪体(30)は、合成ゴム・天然ゴム等の弾性素材により形成され、第１差込部(11)の円周方向に設けられた止め輪体溝(18)に嵌合するように配置される。また、止め輪体(30)は、第１のパイプ管(2)の内面に密着する密着片(31)を有し、密着片(31)の先端部(32)の内側が斜めにカットされている。これにより、押圧体(25)がスライドすると嵌合片(26)の先端部(27)が密着片(31)の内側に潜り込んで密着片(31)を外側方向へ押し広げて第１のパイプ管(2)の内面に密着するように押圧し、第１のパイプ管(2)をしっかりと固定する。
【００１７】
一方、第２差込部(12)には、第２のパイプ管(3)をその側面側から該第２差込部(12)に固定するための止めネジ(41)が当接する凹部(17)が設けられている。第２差込部(12)に差し込んだ第２のパイプ管(3)の側面に穿設されたネジ孔(40)から止めネジ(41)を用いて固定する。すると止めネジ(41)は、第２差込部(12)に設けられた凹部(17)に当接し、第２のパイプ管(3)は第２差込部(12)に固定される。尚、ネジ孔(40)は１箇所のみならず複数箇所に設けることもできる。
【００１８】
さらに、第二の実施形態として、押圧体(25)と止め輪体(30)の間に押圧補助体(50)を介在させ、押圧補助体(50)により止め輪体(30)を均等に押圧するように構成することもできる。すなわち、図４及び図５に示すように、押圧体(25)の嵌合片(26)が嵌合する第１差込部(11)の長手方向に設けられた各切り溝(16)に金属等の硬質素材から形成される押圧補助体(50)を配置し、その上から円筒状の止め輪体(30)を押圧補助体(50)を包み込むように第１差込部(11)に被せる。そして、嵌合片(26)が押圧補助体(50)の内側に入り込むように押圧体(25)を止め輪体(30)に隣接させる。
【００１９】
図５に示すように、押圧体(25)の嵌合片(26)は、先端に行くにつれて厚みが薄くなるように外側が斜めにカットされている。一方、押圧補助体(50)は、嵌合片(26)の外側面に密接するように内側が斜めにカットされている。これにより、第１のパイプ管(2)に第１差込部(11)を差し込んだのち、ネジ体(21)を締め上げて押圧体(25)を止め輪体(30)の内側へ潜り込むようにスライドさせると嵌合片(26)が押圧体(25)と止め輪体(30)の間に介在する押圧補助体(50)を外側方向へ広げる。外側方向に押し広げられた押圧補助体(50)はその外側面で止め輪体(30)を均等に外側方向に押し広げる。これにより、止め輪体(30)は第１のパイプ管(2)の内面に密着し、第１差込部(11)を第１のパイプ管(2)に強固に取り付けられる。
【００２０】
次に、本発明に係るパイプ管の継手方法の一実施形態について説明する。図６に示すように、この継手方法は上記したパイプ管の継手部材を用いるものであり、大きく３工程に分けられる。すなわち、まず、第１工程として、継手本体(10)の第１差込部(11)に第１のパイプ管(2)を差し込む（ステップＳ１）。そして、第２工程として継手本体(10)内を軸方向に貫通し、押圧体(25)に螺合するネジ体(21)を締め上げて、押圧体(25)の端部を第１差込部(11)の外周に配置された弾性素材からなる止め輪体(30)の内側へ潜り込ませるようにスライドさせながら該止め輪体(30)を外側方向に押し広げて該止め輪体(30)を第１のパイプ管(2)の内面に押圧して固定する（ステップＳ２）。次に、第３工程として、第２のパイプ管(3)に第２差込部(12)を差し込んで第２のパイプ管(3)の側面に穿設されたネジ孔(40)から止めネジ(41)を用いて固定する。すると止めネジ(41)は、第２差込部(12)に設けられた凹部(17)に当接し、第２のパイプ管(3)は第２差込部(12)に固定される（ステップＳ３）。
【００２１】
第１工程及び第２工程で、パイプ管継手部材(1)の第１差込部(11)が第１のパイプ管(2)に取り付けられ、第３工程で、パイプ管継手部材の第２差込部(12)が第２のパイプ管(3)に取り付けられる。その結果、パイプ管継手部材(1)を介して、第１のパイプ管(2)に第２のパイプ管(3)を軸方向に簡易に繋ぎ合わせることができる。
【００２２】
【発明の効果】
請求項１及び２に記載の発明によれば、取り付け作業が簡易に行え、且つ、第１のパイプ管に第２のパイプ管を軸方向に強固に繋ぎ合わせることのできる継手部材を提供することができた。
【図面の簡単な説明】
【図１】本発明に係るパイプ管継手部材の一実施形態を示す分解斜視図である。
【図２】（ａ）及び（ｂ）は、図１に示すパイプ管継手部材の断面図である。
【図３】（ａ）〜（ｃ）は、第２のパイプ管の固定方法を示す斜視図である。
【図４】図１とは異なるパイプ管継手部材の実施形態の分解斜視図である。
【図５】図４に示すパイプ管継手部材の断面図である。
【図６】本発明に係るパイプ管継手方法の一実施形態を示すフローチャートである。
【符号の説明】
１  パイプ管継手部材              １０  継手本体
１１  第１差込部                    １２  第２差込部
１３  端部                          １６  切り溝
１７  凹部                          １８  止め輪体溝
２１  ネジ体                        ２３  ネジ溝
２５  押圧体                          ２６  嵌合片
２７  先端部                        ２９  基盤
３０  止め輪体                      ３１  密着片
３２  先端部                        ３５  ネジ孔
４０  ネジ孔                        ４１  止めネジ
【図１】
0004594495.tif 000002
【図２】
0004594495.tif 000003
【図３】
0004594495.tif 000004
【図４】
0004594495.tif 000005
【図５】
0004594495.tif 000006
【図６】
0004594495.tif 000007